(57)【要約】【課題】当該装置が具備するアンテナが有する本来の性能を発揮して通信対象との間で良好な通信を行うことを可能にする。【解決手段】通信可能な領域内に存在する外部情報記憶媒体との間で、少なくとも情報の読み取りまたは情報の書き込みを制御する制御部と、この制御部を配設する配線基板と、所定の電波の送受信を行うループ状のアンテナと、を備え、前記制御部を、前記アンテナのなすループによって形成される閉じた平面を横断面とする柱状空間内に設ける。【選択図】        図２
2006178647.tif 000002
【特許請求の範囲】
【請求項１】
通信可能な領域内に存在する外部情報記憶媒体に対して所定の電波を用いた非接触の通信により、前記外部情報記憶媒体に記憶される情報の読み取りおよび前記外部情報記憶媒体に対する情報の書き込みの少なくともいずれか一方を行う情報端末装置において、
少なくとも前記情報の読み取りまたは前記情報の書き込みを制御する制御部と、
前記制御部を配設する配線基板と、
前記所定の電波の送受信を行うループ状のアンテナと、
を備え、
前記制御部は、前記アンテナのなすループによって形成される閉じた平面を横断面とする柱状空間内に位置することを特徴とする情報端末装置。
【請求項２】
通信可能な領域内に存在する外部情報記憶媒体に対して所定の電波を用いた非接触の通信により、前記外部情報記憶媒体に記憶される情報の読み取りおよび前記外部情報記憶媒体に対する情報の書き込みの少なくともいずれか一方を行う情報端末装置において、
少なくとも前記情報の読み取りまたは前記情報の書き込みを制御する制御部と、
前記制御部を配設する配線基板と、
前記制御部から発生する電磁波を遮蔽するシールド板と、
前記所定の電波の送受信を行うループ状のアンテナと、
を備え、
前記シールド板は、前記アンテナのなすループによって形成される閉じた平面を横断面とする柱状空間内に位置することを特徴とする情報端末装置。
【請求項３】
前記外部情報記憶媒体から読み取った情報または前記外部情報記憶媒体に対して書き込む情報を少なくとも表示する表示部を更に備え、
前記シールド板は、前記表示部と前記制御部との間に介在することを特徴とする請求項２記載の情報端末装置。
【請求項４】
前記制御部および前記配線基板を少なくとも収納する筐体部材を更に備え、
前記アンテナを前記筐体部材に配設したことを特徴とする請求項１〜３のいずれか一項記載の情報端末装置。
【請求項５】
前記アンテナを前記配線基板上の外縁部に配設したことを特徴とする請求項１〜３のいずれか一項記載の情報端末装置。
【発明の詳細な説明】
【技術分野】
【０００１】
本発明は、通信可能な領域内に存在する外部情報記憶媒体に対して所定の電波を用いた非接触の通信により、その外部情報記憶媒体に記憶されている情報の読み取りまたはその外部情報記憶媒体への情報の書き込みを行う情報端末装置に関する。
【背景技術】
【０００２】
近年、非接触の無線通信によって通信対象となる外部情報記憶媒体である無線ＩＣ（Integrated Circuit）タグに情報を書き込んだり、無線ＩＣタグから発せられる情報を読み込んだりするためのＲＦＩＤ（Radio Frequency Identification）機能を搭載した情報端末装置が提案されている（例えば特許文献１を参照）。
【０００３】
この情報端末装置では、例えば周波数帯が１３.５６ＭＨｚ近傍の帯域にある電磁波（電波）を送受信することによって無線ＩＣタグとの間で情報の書き込みまたは読み取りを行う場合、電磁誘導現象を利用した方式（電磁誘導方式）が採用される。この場合、情報端末装置が有するループ状のアンテナに電流が流れると、そのアンテナから所定の周波数を有する電波が空中に放射される。この放射された電波は、通信可能領域内（上記周波数帯域では、たかだか数ｍ程度）にある無線ＩＣタグに具備されるループ状のアンテナに誘導起電力を生じる。そして、この誘導起電力によって無線ＩＣタグ内のＩＣチップが活性化され、情報端末装置との通信が行われる。
【０００４】
このような情報端末装置の機能を、表示機能を備えた携帯電話やＰＤＡ（Personal Digital Assistants）等の小型携帯端末に適用する技術も進展してきている。この技術では、表示機能を有する表示部が、他の部位から生じる電磁波の影響によって誤表示を起こすことを防止するために、金属などから構成されて電磁波を遮蔽するシールド板を小型携帯端末内部に設ける。
【０００５】
【特許文献１】特開平１１−２３８１０３号公報
【発明の開示】
【発明が解決しようとする課題】
【０００６】
上述した従来の情報端末装置においては、その装置の動作を制御する制御部が常に作動していることが前提となっているが、この制御部の作動によって生じる電磁波が、アンテナから放射される電波を遮断してしまうため、外部情報記憶媒体との通信可能な領域を、アンテナ本来の性能に基づく通信可能領域よりも狭めてしまうという問題があった。
【０００７】
また、情報端末装置の機能を小型携帯端末に具備させる場合には、誤表示防止用のシールド板がアンテナから放射される電波を誘引してしまうため、アンテナが本来有する性能を発揮することができなくなるという問題もあった。
【０００８】
本発明は、上記に鑑みてなされたものであり、当該装置が具備するアンテナが本来有する性能を発揮して通信対象との間で良好な通信を行うことを可能にする情報端末装置を提供することを目的とする。
【課題を解決するための手段】
【０００９】
上述した課題を解決し、目的を達成するために、請求項１記載の発明は、通信可能な領域内に存在する外部情報記憶媒体に対して所定の電波を用いた非接触の通信により、前記外部情報記憶媒体に記憶される情報の読み取りおよび前記外部情報記憶媒体に対する情報の書き込みの少なくともいずれか一方を行う情報端末装置において、少なくとも前記情報の読み取りまたは前記情報の書き込みを制御する制御部と、前記制御部を配設する配線基板と、前記所定の電波の送受信を行うループ状のアンテナと、を備え、前記制御部は、前記アンテナのなすループによって形成される閉じた平面を横断面とする柱状空間内に位置することを特徴とする。
【００１０】
請求項２記載の発明は、通信可能な領域内に存在する外部情報記憶媒体に対して所定の電波を用いた非接触の通信により、前記外部情報記憶媒体に記憶される情報の読み取りおよび前記外部情報記憶媒体に対する情報の書き込みの少なくともいずれか一方を行う情報端末装置において、少なくとも前記情報の読み取りまたは前記情報の書き込みを制御する制御部と、前記制御部を配設する配線基板と、前記制御部から発生する電磁波を遮蔽するシールド板と、前記所定の電波の送受信を行うループ状のアンテナと、を備え、前記シールド板は、前記アンテナのなすループによって形成される閉じた平面を横断面とする柱状空間内に位置することを特徴とする。
【００１１】
請求項３記載の発明は、請求項２記載の発明において、前記外部情報記憶媒体から読み取った情報または前記外部情報記憶媒体に対して書き込む情報を少なくとも表示する表示部を更に備え、前記シールド板は、前記表示部と前記制御部との間に介在することを特徴とする。
【００１２】
請求項４記載の発明は、請求項１〜３のいずれか一項記載の発明において、前記制御部および前記配線基板を少なくとも収納する筐体部材を更に備え、前記アンテナを前記筐体部材に配設したことを特徴とする。
【００１３】
請求項５記載の発明は、請求項１〜３のいずれか一項記載の発明において、前記アンテナを前記配線基板上の外縁部に配設したことを特徴とする。
【発明の効果】
【００１４】
本発明によれば、外部情報記憶媒体との間で情報の読み取りまたは情報の書き込みを行う制御部を、アンテナのなすループによって形成される閉じた平面を横断面とする柱状空間内に位置させることにより、当該装置が具備するアンテナが本来有する性能を発揮して通信対象との間で良好な通信を行うことが可能になる。
【発明を実施するための最良の形態】
【００１５】
以下、添付図面を参照して本発明の実施の形態を説明する。
【００１６】
（実施の形態１）
図１は、本発明の実施の形態１に係る情報端末装置の機能構成の概略を示すブロック図である。同図に示す情報端末装置１は、通信可能な領域内に存在する外部情報記憶媒体に対して所定の電波を用いた非接触の通信により、その外部情報記憶媒体に記憶されている情報の読み取りまたはその外部情報記憶媒体への情報の書き込みを少なくとも行うものである。
【００１７】
この情報端末装置１は、情報の入力を受ける入力部２、外部との通信を行う外部通信部３、所定の記憶媒体に情報を記録するカードインターフェース４、無線通信用のアンテナ５、アンテナ５の駆動制御を行って外部情報記憶媒体との間で情報の読取および書込を行うＲＦＩＤ処理部６、光学情報記録媒体から情報の光学的な読取を行う光学情報読取部７、外部情報記憶媒体から読み取った情報および外部情報記憶媒体に書き込む情報等を表示出力する表示部８、音声情報の入出力を行う音声入出力部９を備える。情報端末装置１は、前述した各部が有する機能を制御する制御部１０と、各種処理を行うためのプログラムおよびこのプログラムに用いるデータを記憶する記憶部１１とを更に備える。
【００１８】
入力部２は、情報端末装置１を利用する者（以後、単に利用者と呼ぶ）からの情報の入力を受け、その入力された情報を制御部１０へ送出するものであり、利用者が操作可能な複数の入力キーと、これらの入力キーが押圧されたときに各入力キーに対応する信号を発生する複数のスイッチとを有する。入力部２が入力を受ける情報としては、無線ＩＣタグ（ＲＦタグまたはＲＦＩＤタグともいう）または非接触型ＩＣカード等の外部情報記憶媒体に記憶された情報の読み取りを指示する情報（読取指示情報）、外部情報記憶媒体に書き込む情報、およびその情報の書き込み自体を指示する指示情報（書込指示情報）が含まれる。例えば、利用者が入力キーを用いて読取指示情報を入力した場合、入力部２は、この読取指示情報の入力を受けるとともに、その読取指示情報を制御部１０に送出する。また、利用者が入力キーを用いて書込指示情報を入力した場合、入力部２は、この書込指示情報の入力を受けるとともに、その書込指示情報を制御部１０に送出する。
【００１９】
外部通信部３は、ＲＳ２３２Ｃ（Recommended Standard 232 version C）、ＵＳＢ（Universal Serial Bus）、ＩＥＥＥ１３９４等の外部通信用インタフェース、またはＩｒＤＡ（Infrared Data Association）規格に準拠した赤外線通信インタフェース等を用いて実現され、外部のホストコンピュータ（図示せず）やプリンタ等の周辺機器（図示せず）に対する情報通信を行う。この外部通信部３は、情報読取処理によって読み取られた情報等が入力された場合、その情報を外部のホストコンピュータまたは周辺機器に送出する。また、外部通信部３は、制御部１０の処理動作を制御する各種情報が外部のホストコンピュータから入力された場合、その情報を制御部１０に送出する。なお、外部通信部３は、外部のホストコンピュータまたは周辺機器の各端子に電気的に接続可能な共用端子を用いて実現することもできる。
【００２０】
カードインターフェース４は、制御部１０から入力された情報を、自身に装着される所定の記憶媒体に記憶する一方、その装着された記憶媒体から所望の情報を読み取る機能を有する。カードインターフェース４に装着される記憶媒体は、例えば、ｘＤピクチャーカード、スマートメディア、メモリスティック、マルチメディアカード、ＳＤ（Secure Digital）メモリカード等である。なお、このカードインターフェース４を、メモリカード型のＬＡＮ（Local Area Network）カードを装着可能な無線ＬＡＮモジュールなどによって実現してもよい。
【００２１】
アンテナ５は、アルミニウム、チタン−ニッケル合金、銅合金、またはステンレス等の金属を打ち抜いた矩形断面を有する板状の導電体を用いて実現されるループ状のアンテナ（アンテナコイル）であり、通信可能な領域内に存在する外部情報記憶媒体との間で、ＲＦＩＤ処理部６から入力された電気信号に対応する所定の周波数の電波を出力する一方、外部情報記憶媒体から出力された電波を受信し、この受信した電波に対応する電気信号をＲＦＩＤ処理部６に送出する。ここで、所定の周波数の電波とは、例えば周波数帯が１３.５６ＭＨｚ近傍の帯域にある電磁波である。なお、アンテナ５の断面は、矩形断面に限られるわけではなく、円形断面を有していてもよい。
【００２２】
ＲＦＩＤ処理部６は、アンテナ５の駆動制御を行う駆動制御処理部として機能する。すなわち、ＲＦＩＤ処理部６は、アンテナ５に電気信号を送出してアンテナ５から所定の周波数を有する電波を出力させる機能を有する。この場合、ＲＦＩＤ処理部６は、アンテナ５に送出する電気信号を制御し、アンテナ５から所定の周波数を有する電波を出力させることによって所望の非接触無線通信を行う。また、ＲＦＩＤ処理部６は、アンテナ５と外部情報記憶媒体との間で送受信される電波を介し、その外部情報記憶媒体に対する情報読取処理または情報書込処理を行う。
【００２３】
光学情報読取部７は、赤外光または可視光を走査光として光学情報記録媒体に対して投光する半導体レーザ素子または発光ダイオード等の光源と、光学情報記録媒体からの走査光の反射光を受光するＣＣＤ（Charge Coupled Device）やＣＭＯＳ（Complementary Metal Oxide Semiconductor）等のイメージセンサまたはフォトセンサ等の受光素子とを有する。
【００２４】
表示部８は、液晶表示装置（ＬＣＤ：Liquid Crystal Display）または有機ＥＬ（Electroluminescence）パネル等の薄型ディスプレイから成り、情報読取処理によって読み取った情報、書込指示情報に含まれる書込情報、または光学情報読取部７が読み取った情報等を表示出力する。なお、表示部８は、情報端末装置１の処理動作に何らかのエラーが発生した場合に、このエラーを報知する所定のエラー表示を表示出力するようにすることもできる。
【００２５】
音声入出力部９は、マイクロフォンおよびスピーカを用いて実現され、外部からの音声情報を入力し、この入力した音声情報を制御部１０に送出する。また、音声入出力部９は、制御部１０から入力された音声情報を外部に出力する。なお、音声入出力部９は、各構成部位による処理の開始または完了を報知する所定の報知音を出力したり、情報端末装置１に処理動作に関するエラーが発生したとき、表示部８によるエラー表示の出力と同期して所定のエラー報知音を出力したりすることもできる。
【００２６】
制御部１０は、演算および制御機能を有するＣＰＵ（Central Processing Unit）等によって実現され、記憶部１１に記憶格納されているアプリケーションソフトウェアを読み出すことによって上記各機能部の動作処理の制御を行う。なお、制御部１０は、外部通信部３を介して、ＲＦＩＤ処理部６から入力された情報を外部のホストコンピュータに送出し、その後、このホストコンピュータによって情報処理がなされた情報を受信するようにしてもよい。
【００２７】
記憶部１１は、所定のＯＳ（Operation System）を起動するプログラムや前述したアプリケーションソフトウェア等を予め記憶したＲＯＭ（Read Only Memory）と、各処理の演算パラメータ、外部情報記憶媒体または光学情報記録媒体から読み取った各種情報、外部情報記憶媒体に書き込んだ情報、および音声情報等を記憶するＲＡＭ（Random Access Memory）とを用いて実現される。
【００２８】
図２は、情報端末装置１の具体的な一構成例を示す分解斜視図である。また、図３は、図２の情報端末装置１を組み立てたときのＸ−Ｘ線断面図である。なお、これらの図は、この実施の形態に係る情報端末装置１の特徴を抽出するために、その情報端末装置１の要部を模式的に記載したものである。
【００２９】
図２および図３に示す情報端末装置１は、例えばポリカーボネート（ＰＣ）樹脂またはＡＢＳ（Acrylonitrile Butadiene Styrene）樹脂などの非導電性材料を用いた成形加工によって形成される二つの筐体部材１２および１３を相互に嵌合することによって装置筐体部分が形成されている。図２および図３に示す場合には、組立時に、予め筐体部材１２の下端面に設けられた突起部１２ａと筐体部材１３に設けられた溝部１３ａとの間に両筐体部材の外縁に適合する形状を備えた弾性部材１４を介在させ、この弾性部材１４を挟んだ状態で両筐体部材を嵌合することによって装置筐体部分を形成している。弾性部材１４は、装置筐体部分を組み立てるときに加わる力によって弾性変形を生じ、二つの筐体部材１２および１３の間に生じる隙間を充填する。
【００３０】
情報端末装置１を組み立てる際には、弾性部材１４と各筐体部材１２および１３の間に適当な接着剤を塗布しておいてもよい。また、図示はしないが、筐体部材１２および１３に更にねじ穴を設け、このねじ穴に適合するねじを用いることによって両筐体部材を締結することも可能である。なお、弾性部材１４を用いずに、二つの筐体部材１２および１３から装置筐体部分を構成してもよい。
【００３１】
筐体部材１２には、複数の入力キーから成る操作部１２１が取り付けられる一方、表示部８の表示内容を外部に表示するための開口部が設けられている。この開口部には、表示窓１２２が取り付けられている。なお、操作部１２１に設けられる入力キーとしては、ボタン以外の入力デバイス、より具体的にはトラックポイント、トラックボール、タッチパネル等の入力デバイスを設置してもよい。この意味で、この実施の形態および後述する各実施の形態では、「入力キー」と称してそれらの各種入力デバイスも含む。
【００３２】
筐体部材１３の内側底面部には、ループ状のアンテナ５が設置されている。なお、ここでいうループのより具体的な形状としては、略円形、略楕円形、略四角形等の形状を想定することができる。この点は、本発明のすべての実施の形態に共通する事項である。このアンテナ５のなすループ内部の面積が大きいほど、受信する電波に対する感度を向上させることができる。この筐体部材１３は、更に情報端末装置１を起動するための電源１９を収納する電源収納部１３１ａを有しており、電源カバー１３１ｂを底面部の外側から装着することによって電源１９を収納する。
【００３３】
次に、装置筐体部分の内部に収納される各部材について説明する。操作部１２１が設置されている場所の装置筐体部分の内側には、複数のスイッチを有するスイッチ部１５が設置される。このスイッチ部１５の各スイッチは、対応する操作部１２１の入力キーが外部からの操作を受けると、その入力キーの押圧によって電気的に接続した状態（オン状態）となり、操作された入力キーに対応する信号を制御部１０に送出する。このスイッチ部１５と操作部１２１とが入力部２に対応する。
【００３４】
表示窓１２２内部の表示部８、およびこの表示部８の略下部に設けられるシールド板１６は、筐体部材１２に固着されるホルダー１７内部に収納される。シールド板１６は、表示部８と制御部１０との間に介在し、アルミニウムまたは銅等の金属から成る。このシールド板１６は、制御部１０の作動等によって発生する電磁波を遮蔽する機能を有しており、表示部８が電磁波に起因して誤表示を起こすことを防止する。
【００３５】
ホルダー１７の底面、すなわち表示部８およびシールド板１６を収納する側の面と反対側の面の下部には、制御部１０（より具体的には、ＣＰＵを含む各種実装部品から構成される電子回路）を搭載する配線基板１８が配置され、筐体部材１２または１３に固着されている。この配線基板１８としては、ポリイミド等から成り、柔軟性を備えた単層または多層のフレキシブル基板（ＦＰＣ：Flexible Printed Circuit）を用いることができる。なお、配線基板１８上にカードインターフェース４をさらに設置して、このカードインターフェース４に着脱可能な記憶媒体を装着する構成にしてもよい。
【００３６】
配線基板１８に配設される制御部１０は、筐体部材１３に配設されるアンテナ５のなすループによって形成される閉じた平面を横断面とする柱状空間内に位置し、なおかつアンテナ５と所定距離以上離間している。なお、ここでいう所定距離の値は、情報端末装置１の大きさやアンテナ５に要求される性能等の条件に応じて、その最適値が決定される。図２および図３では、より好ましい例として、制御部１０を搭載する配線基板１８全体が前記柱上空間内に位置する場合を図示している。すなわち、この場合には、情報端末装置１を筐体部材１２の上方（図２の矢視Ａ方向）から見たとき、配線基板１８はアンテナ５のなすループの内部に位置している。図３の断面図では、配線基板１８の外縁を通過する柱状空間の境界を一点鎖線で表示している。
【００３７】
このようにアンテナ５と制御部１０の位置関係を考慮して情報端末装置１を構成することにより、アンテナ５から放射される電波が配線基板１８上に設けられる制御部１０の作動に起因して発生する電磁波から受ける影響を低減し、通信対象である外部情報記憶媒体との間で良好な通信を行うことが可能となる。
【００３８】
なお、図２および図３では、配線基板１８と各機能処理部との間の電気的な接続について具体的には図示していないが、この電気的な接続は、例えばフレキシブル基板によって形成されるコネクター等の接続手段を適宜用いることによって実現される。
【００３９】
また、図２および図３では、画像処理機能を有する画像処理部についても制御部１０の一機能として配線基板１８上に設けているが、この画像処理部については別の配線基板を用意して、表示部８やシールド板１６とともにホルダー１７内部に収納してもよい。
【００４０】
さらに、この装置筐体部分の内部には、音声入出力部９に相当するマイクロフォンおよびスピーカ、および光学情報読取部７を設けることが可能である。
【００４１】
ここで、この実施の形態に係る情報端末装置１が、外部情報記憶媒体との間で行う情報の読み取りおよび情報の書き込みの動作の概要をそれぞれ説明する。まず、入力部２から読取指示情報が入力された場合について説明する。この場合、その読取指示情報が制御部１０を介してＲＦＩＤ処理部６に送出されると、ＲＦＩＤ処理部６は、この読取指示情報に対応する電気信号を必要に応じて変調する。
【００４２】
アンテナ５は、ＲＦＩＤ処理部６の制御のもと、ＲＦＩＤ処理部６から受信した電気信号に対応する所定の電波を送出する。この電波を受信した外部情報記憶媒体は、その電波に含まれる読取指示情報に基づいて、自身が記憶する情報に対応する電波を出力する。アンテナ５は、外部情報記憶媒体から出力された電波を受信し、この受信した電波に対応する電気信号をＲＦＩＤ処理部６に送出する。
【００４３】
ＲＦＩＤ処理部６は、アンテナ５から受信した電気信号を必要に応じて復調する。その後、ＲＦＩＤ処理部６は、その電気信号に基づいて得られた情報を外部情報記憶媒体に記憶された情報として制御部１０に送出する。これにより、外部情報記憶媒体からの情報読取処理が達成される。
【００４４】
次に、入力部２から書込指示情報が入力された場合について説明する。この場合、入力された書込指示情報が制御部１０を介してＲＦＩＤ処理部６に送出されると、ＲＦＩＤ処理部６は、その書込指示情報に対応する電気信号を必要に応じて変調する。
【００４５】
アンテナ５は、ＲＦＩＤ処理部６の制御のもと、ＲＦＩＤ処理部６から受信した電気信号に対応する所定の電波を送出する。
【００４６】
書込指示情報に対応する電気信号を受信した外部情報記憶媒体は、その受信した電気信号に含まれる指示に基づいて書込情報を記憶または上書きする。これにより、外部情報記憶媒体に対する情報書込処理が達成される。
【００４７】
以上説明した本発明の実施の形態１によれば、外部情報記憶媒体との間で情報の読み取りまたは情報の書き込みを行う制御部を、アンテナのなすループによって形成される閉じた平面を横断面とする柱状空間内に位置するように筐体部材に配設することにより、その情報端末装置が具備するアンテナが本来の性能を発揮して通信対象との間で良好な通信を行うことが可能になる。
【００４８】
また、この実施の形態によれば、アンテナを筐体部分に配置するため、アンテナ設置用の部材を別に用いる必要がなくなり、部品点数を削減して小型化を容易にするとともに、コストを抑えることが可能となる。
【００４９】
上述した実施の形態１の変形例について説明する。図４は、この実施の形態１の一変形例に係る情報端末装置の概略構成を示す分解斜視図である。同図に示す情報端末装置１０１は、上述した情報端末装置１の機能を携帯電話に具備させたものであり、入力側の筐体部分と表示側の筐体部分がヒンジを介して回動可能に連結される。
【００５０】
表示側の筐体部分を形成する筐体部材１１２および１１３の間には、表示部８に加えてシールド板１６、ホルダー１７、配線基板１８、アンテナ５、および音声入出力部９の一部をなすスピーカ９１が少なくとも収納される。そしてこの一変形例においても、配線基板１８上に配設される制御部１０が、アンテナ５のなすループによって形成される閉じた平面を横断面とする柱状空間内に位置する。この筐体部材１１２にはヒンジ部１１２ｈが設けられており、入力側の筐体１１４に設けられるヒンジ部１１４ｈとピン軸１１５を介して互いに回動可能に蝶着される。
【００５１】
入力側の筐体１１４は、図示はしないが、複数の入力キーから成る操作部１２１を含む入力部２、電源１９、入力部２を制御するための制御部を搭載する配線基板、および音声入出力部９の一部であるマイクロフォンを少なくとも収納している。この筐体１１４内の配線基板と配線基板１８とは、適当な接続手段（図示せず）を介して電気的に接続される。また、配線基板上の制御部１０と各機能部も、適当な制御手段を介して電気的に接続される。
【００５２】
以上説明した実施の形態１の一変形例においても、その情報端末装置が具備するアンテナが本来の性能を発揮して通信対象との間で良好な通信を行うことが可能となる。
【００５３】
上記一変形例で説明したことからも明らかなように、この実施の形態１に係る情報端末装置の小型携帯端末への適用は容易である。したがって、携帯電話以外にも、ＰＨＳ（Personal Handyphone System）、ＰＤＡ端末等を含むさまざまな種類の小型携帯端末に対し、この実施の形態に係る情報端末装置の機能を具備させることが可能である。
【００５４】
（実施の形態２）
図５は、本発明の実施の形態２に係る情報端末装置の一構成例を示す断面図であり、上述した実施の形態１における図３の断面図（図２のＸ−Ｘ線断面図）に相当するものである。このため、図３と同一の部材についてはそれぞれ同一の符号を付与してある。
【００５５】
この実施の形態に係る情報端末装置２１は、情報の入力を受ける入力部２、外部との通信を行う外部通信部３、所定の記憶媒体に情報を記録するカードインターフェース４、無線通信用のアンテナ５、アンテナ５の駆動制御を行って外部情報記憶媒体との間で情報の読取および書込を行うＲＦＩＤ処理部６、光学情報記録媒体から情報の光学的な読取を行う光学情報読取部７、外部情報記憶媒体から読み取った情報および外部情報記憶媒体に書き込む情報等を表示出力する表示部８、音声情報の入出力を行う音声入出力部９、前述した各部が有する機能を制御する制御部１０、各種処理を行うためのプログラムおよびこのプログラムに用いるデータを記憶する記憶部１１を備える（図１を参照）。
【００５６】
そして、図５に示すように筐体状に構成される情報端末装置２１は、配線基板１８表面の面積がシールド板１６表面の面積よりも小さい。このような場合には、アンテナ５から放射送出される所定の電波がシールド板１６の方に誘引されることによるアンテナの性能劣化も無視できなくなる。そこで、この実施の形態においては、シールド板１６を、筐体部材１３に配設されるアンテナ５のなすループによって形成される閉じた平面を横断面とする柱状空間内に位置するように配置する。換言すると、情報端末装置２１を筐体部材１３の上方（図２の矢視Ａ方向に相当）から見た場合、シールド板１６がアンテナ５のなすループの内部に位置するように配置する。なお、図５では、上記柱状空間の境界を一点鎖線で記載している。
【００５７】
この情報端末装置２１は、筐体部材１３に配設されるアンテナ５のなすループによって形成される閉じた平面を横断面とする柱状空間内にシールド板１６を位置するように配置した点を除いて、実施の形態１における情報端末装置１の一構成例と同様の構成を有する。すなわち、情報端末装置２１は、上述した構成要素に加えて、操作部１２１、表示窓１２２、表示部８、弾性部材１４、スイッチ部１５、電源収納部１３１ａ、電源カバー１３１ｂ、電源１９を有する。そして、これらの構成要素を、筐体部材１２および１３を用いて形成される装置筐体部分の内部または表面に適当に配設することにより、情報端末装置３１が構成される（図２を参照）。
【００５８】
以上説明した本発明の実施の形態２によれば、外部情報記憶媒体との間で情報の読み取りまたは情報の書き込みを行う制御部から発生する電磁波を遮蔽する機能を有するシールド板を、アンテナのなすループによって形成される閉じた平面を横断面とする柱状空間内に位置するように筐体部材に配設することにより、その情報端末装置に具備されたアンテナが有する本来の性能を発揮して通信対象との間で良好な通信を行うことが可能になる。
【００５９】
特に、この実施の形態によれば、シールド板が大きく、アンテナから発生する電波がそのシールド板の方に誘引されやすい状況下においても、アンテナの性能劣化を防止して、通信対象である外部情報記憶媒体との間で良好な通信を行うことが可能となる。
【００６０】
また、この実施の形態においても、実施の形態１と同じくアンテナを筐体部分に配置するため、アンテナ設置用の部材を別に用いる必要がなくなり、部品点数を削減して小型化を容易にするとともに、コストを抑えることが可能となる。
【００６１】
なお、この実施の形態に係る情報端末装置も、携帯電話、ＰＨＳ、ＰＤＡ端末等の小型携帯端末として実現することができる。
【００６２】
（実施の形態３）
図６は、本発明の実施の形態３に係る情報端末装置の概略構成を模式的に示す分解斜視図である。同図に示す情報端末装置３１においては、ループ状のアンテナ５を配線基板１８上の外縁部に配設したことを特徴としている。
【００６３】
この実施の形態に係る情報端末装置３１は、情報の入力を受ける入力部２、外部との通信を行う外部通信部３、所定の記憶媒体に情報を記録するカードインターフェース４、無線通信用のアンテナ５、アンテナ５の駆動制御を行って外部情報記憶媒体との間で情報の読取および書込を行うＲＦＩＤ処理部６、光学情報記録媒体から情報の光学的な読取を行う光学情報読取部７、外部情報記憶媒体から読み取った情報および外部情報記憶媒体に書き込む情報等を表示出力する表示部８、音声情報の入出力を行う音声入出力部９、前述した各部が有する機能を制御する制御部１０、各種処理を行うためのプログラムおよびこのプログラムに用いるデータを記憶する記憶部１１を備える（図１を参照）。
【００６４】
情報端末装置３１は、ループ状のアンテナ５を配線基板１８上の外縁部に配設した点を除いて、実施の形態１における情報端末装置１の一構成例と同様に構成される。すなわち、情報端末装置３１は、上述した構成要素に加えて、操作部１２１、表示窓１２２、表示部８、弾性部材１４、スイッチ部１５、電源収納部１３１ａ、電源カバー１３１ｂ、電源１９を備えており、これらの構成要素を、筐体部材１２および１３を用いて形成される装置筐体部分の内部または表面に適当に配置することにより、情報端末装置３１が構成される（図２を参照）。
【００６５】
図７は、図６に示す配線基板１８要部の構成をより詳細に示す斜視図である。同図に示す場合、配線基板１８は多層（５〜７層程度）パターンをなしており、各層には制御部１０を構成するＣＰＵ等の部品およびカードインターフェース４等を含む電子回路を実装する実装部品８１が適宜配設されている。この実装部品８１は、配線基板１８の略中央部付近に密集して配設し、制御部１０の作動によって発生する電磁波の影響が可能な限りアンテナ５に及ばないようにしておくことが好ましい。
【００６６】
配線基板１８の外縁部には、層ごとに穴を開けることによって設けた複数のスルーホールＴＨを介してアンテナ５が各層の外縁部を周回している。この結果、限られた領域の中でもアンテナ５自身で形成するコイルの巻き数を増加させ、アンテナ５から放射される電波の強度を増大させることができる。
【００６７】
なお、図７は一構成例を示したものに過ぎず、他にも単層の配線基板１８上の外縁部にアンテナ５を周回させて設けることもできる。配線基板１８の層構造は、配線基板１８を設ける筐体のサイズや必要とされる放射電波の強度等の条件に応じて種々変更することができる。
【００６８】
以上説明した本発明の実施の形態３によれば、アンテナを配線基板上に一体的に配設することにより、外部情報記憶媒体との間で情報の読み取りまたは情報の書き込みを行う制御部から発生する電磁波がアンテナに与える影響を少なくすることができ、アンテナの性能劣化を防止して通信対象との間で良好な通信を行うことができる。
【００６９】
また、この実施の形態によれば、配線基板上にアンテナを配設するため、部品点数を増やすことなく、小型化かつ低コスト化に好適な情報端末装置を提供することができる。
【００７０】
なお、この実施の形態に係る情報端末装置を、携帯電話、ＰＨＳ、ＰＤＡ端末等の小型携帯端末として実現できる点については、上述した二つの実施の形態と同じである。
【００７１】
以上、本発明の好ましい実施形態を、実施の形態１〜３として詳述したが、本発明の構成はそれらに限定されるものではない。すなわち、本発明は、ここでは記載していないさまざまな実施の形態等を含みうるものであり、特許請求の範囲により特定される技術的事項を逸脱しない範囲内において種々の設計変更等を施すことが可能である。
【図面の簡単な説明】
【００７２】
【図１】本発明の実施の形態１に係る情報端末装置の機能構成を示すブロック図である。
【図２】本発明の実施の形態１に係る情報端末装置の構成を示す分解斜視図である。
【図３】図２のＸ−Ｘ線断面図である。
【図４】本発明の実施の形態１の一変形例に係る情報端末装置の構成を示す分解斜視図である。
【図５】本発明の実施の形態２に係る情報端末装置の構成を示す断面図である。
【図６】本発明の実施の形態３に係る情報端末装置の構成を示す分解斜視図である。
【図７】図６の配線基板のより具体的な構成例を示す斜視図である。
【符号の説明】
【００７３】
１、２１、３１、１０１  情報端末装置
２  入力部
３  外部通信部
４  カードインターフェース
５  アンテナ
６  ＲＦＩＤ処理部
７  光学情報読取部
８  表示部
９  音声入出力部
１０  制御部
１１  記憶部
１２、１３、１１２、１１３  筐体部材
１４  弾性部材
１５  スイッチ部
１６  シールド板
１７  ホルダー
１８  配線基板
１９  電源
８１  実装部品
９１  スピーカ
１１２ｈ、１１３ｈ  ヒンジ部
１１４  筐体
１１５  ピン軸
１２１  操作部
１２２  表示窓
１３１ａ  電源収納部
１３１ｂ  電源カバー
ＴＨ  スルーホール
【図１】
2006178647.tif 000003
【図２】
2006178647.tif 000004
【図３】
2006178647.tif 000005
【図４】
2006178647.tif 000006
【図５】
2006178647.tif 000007
【図６】
2006178647.tif 000008
【図７】
2006178647.tif 000009